(57)【特許請求の範囲】
【請求項１】
ステレオオーディオ信号がヘッドホン内のスピーカアセンブリへ送られる送られ方をユーザが制御できるようにした構造の、一組のディスクジョッキー（ＤＪ）ヘッドホンであって、
ヘッドバンドと、
前記ヘッドバンドに回転可能に結合された第１のスピーカアセンブリであって、前記第１のスピーカアセンブリが、前記ヘッドバンドに対して、デフォルトの聞き取り位置の内或いは外へと、前記第１のスピーカアセンブリの最上部から前記第１のスピーカアセンブリの底部へとのびる軸の周りを所定の方向に、回転するのを可能にする第１の旋回軸を備えている前記第１のスピーカアセンブリと、
前記ヘッドバンドに回転可能に結合された第２のスピーカアセンブリであって、前記第２のスピーカアセンブリが、前記ヘッドバンドに対して、デフォルトの聞き取り位置の内或いは外へと、前記第２のスピーカアセンブリの最上部から前記第２のスピーカアセンブリの底部へとのびる軸の周りを所定の方向に、回転するのを可能にする第２の旋回軸を備えている前記第２のスピーカアセンブリと、
前記第１のスピーカアセンブリおよび前記第２のスピーカアセンブリに動作可能に関連付けられた、少なくとも１つのオーディオ制御デバイスと、
前記少なくとも１つのオーディオ制御デバイスを作動させたり不作動とさせたりするように構成されている回転スイッチであって、前記第１のスピーカアセンブリを前記デフォルトの聞き取り位置の外へ回転させることによって、前記回転スイッチが起動され且つ前記少なくとも１つのオーディオ制御デバイスが作動せしめられ、前記第１のスピーカアセンブリを前記デフォルトの聞き取り位置内へ回転させることによって、前記回転スイッチ及び前記少なくとも１つのオーディオ制御デバイスが不作動状態とされる、前記回転スイッチと、
前記少なくとも１つのオーディオ制御デバイスを作動させたり不作動とさせたりするように構成されている別の回転スイッチであって、前記第２のスピーカアセンブリを前記デフォルトの聞き取り位置の外へ回転させることによって、前記別の回転スイッチが起動され且つ前記少なくとも１つのオーディオ制御デバイスが作動せしめられ、前記第２のスピーカアセンブリを前記デフォルトの聞き取り位置内へ回転させることによって、前記別の回転スイッチ及び前記少なくとも１つのオーディオ制御デバイスが不作動状態とされる、前記別の回転スイッチとを備えており、
前記第１のスピーカアセンブリを前記デフォルトの聞き取り位置の外へ回転させて前記回転スイッチを起動させることによって前記少なくとも１つのオーディオ制御デバイスを作動状態にさせると、前記少なくとも１つのオーディオ制御デバイスは、前記第１のオーディオ信号及び前記第２のオーディオ信号を結合して前記第２のスピーカアセンブリへと送り、前記第１のスピーカアセンブリをミュートするように構成されており、
前記第２のスピーカアセンブリを前記デフォルトの聞き取り位置の外へと回転させて前記別の回転スイッチを起動させることによって前記少なくとも１つのオーディオ制御デバイスを作動状態にさせると、前記少なくとも１つのオーディオ制御デバイスは、前記第１のオーディオ信号及び第２のオーディオ信号を結合して前記第１のスピーカアセンブリへと送り、前記第２のスピーカアセンブリをミュートするように構成されている、一組のＤＪヘッドホン。
【請求項２】
ミュートボタンを更に含み、
前記ミュートボタンが作動せしめられると、前記第１および第２のスピーカアセンブリが共にミュートされる、請求項１に記載の一組のＤＪヘッドホン。
【請求項３】
前記少なくとも１つのオーディオ制御デバイスは、１つまたは複数のプリント配線基板を含む、請求項１又は２に記載の一組のＤＪヘッドホン。
【請求項４】
前記第１のスピーカアセンブリ上に位置決めされた第１の入力ジャックであって、オーディオケーブルを受け入れるように構成された前記第１の入力ジャックと、
前記第２のスピーカアセンブリ上に位置決めされた第２の入力ジャックであって、オーディオケーブルを受け入れるように構成された前記第２の入力ジャックと、
前記第１の入力ジャックまたは前記第２の入力ジャックのいずれかに固定されたオーディオケーブルを介して受信された１つまたは複数のオーディオ信号を、前記第１および第２のスピーカアセンブリの両方に送信するように構成された、１つまたは複数の付加的なオーディオ制御デバイスと、を更に含む、請求項１乃至３の何れか１項に記載の一組のＤＪヘッドホン。
【請求項５】
前記１つまたは複数のオーディオ信号は、２つのチャネルステレオ信号を含み、
前記１つまたは複数の付加的なオーディオ制御デバイスは、前記２つのチャネルステレオ信号の第１のオーディオ信号を前記第１のスピーカアセンブリへ送信するように構成され、および、
前記１つまたは複数のオーディオ制御デバイスは、前記２つのチャネルステレオ信号の第２のオーディオ信号を前記第２のスピーカアセンブリへ送信するように構成されている、請求項４に記載の一組のＤＪヘッドホン。
【請求項６】
前記オーディオケーブルが前記第１の入力ジャックから不意に外れることを防ぐように構成された、ロッキング機構を更に含む、請求項４又は５に記載の一組のＤＪヘッドホン。
【請求項７】
前記ロッキング機構は、前記オーディオケーブルの外ネジとかみ合うように構成された、内ネジ付きのレセプタクルを含む、請求項６に記載の一組のＤＪヘッドホン。
【発明の詳細な説明】
【技術分野】
【０００１】
本発明の実施は、一般にヘッドホンに関する。詳細には、本発明の実施は、ディスクジョッキー（「ＤＪ」）によって、音楽の選択および再生においてＤＪを支援するために使用されることが可能なヘッドホンに関する。
【背景技術】
【０００２】
ＤＪは、通常は聴衆のために、音楽を選択および再生する人である。多数のタイプのＤＪがいるが、ＤＪの最も人気のあるタイプの１つは、録音された音楽を生の聴衆のために選択および再生するクラブＤＪである。クラブＤＪは、バー、ナイトクラブ、レイブまたはコンサートにおいて音楽を選択および再生することができる。クラブＤＪは、聴衆が音楽を楽しみ、合わせて踊ることを可能にする、編曲および音量で音楽を提供することができる。ＤＪは、コンパクトディスク、ビニール盤レコード、カセットテープまたはコンピュータメディアプレイヤを含む、様々な音楽記憶媒体から、録音された音楽を再生する場合がある。
【０００３】
ＤＪは、自分たちの独自の音楽の選択、ならびに、ＤＪが複数の音楽トラックを合わせてミキシングするやり方、または、ある歌から次の歌への移行に基づいて、業界内で自分たちを特徴付けることができる。例えば、録音された音楽を合わせてミキシングおよびブレンドする手段として、ＤＪによって使用されるいくつかの技術は、ビートマッチング、フレージング、スリップキューイング、ビートジャグリング、スクラッチング、フェーズシフティング、サンプリング、およびハーモニックミキシングを含む。これらの技術の各々は、録音された音楽の再生に、ＤＪが創造的かつ独自のスタイルを加えることを可能にすることができる。
【０００４】
音楽トラックをミキシングするために、ＤＪは、様々な音楽機器を使用する場合がある。例えば、ＤＪは、録音の増幅のためにサウンドシステムを使用する場合がある。加えて、ＤＪは、サウンドシステムに接続される少なくとも２つのオーディオ再生デバイスの組み合わせを使用する場合がある。これらの２つのオーディオ再生デバイスは、ＤＪが一方のオーディオ再生デバイスから他方のオーディオ再生デバイスへと切り替えることによって、音楽の連続再生を作り出すことを可能にする、ＤＪミキシングデバイスに結合される場合がある。これは、ＤＪが、ある音楽トラックの終了と別の音楽トラックの開始の間に無音の途切れがないようにすることを、可能にすることができる。また、ＤＪは、例えば、ビートマッチングなど、上述の技術の１つまたは複数を使用して、ある音楽トラックから次の音楽トラックへのスムーズかつ独自の移行を作り出すことができる。
【０００５】
上述の音楽機器に加えて、ＤＪはまたヘッドホンを使用する場合もある。例えば、ＤＪは、第２のオーディオ再生デバイスからの第２の音楽トラックを、サウンドシステムを通じて再生しながら、ヘッドホンを使用して、第１のオーディオ再生デバイスからの第１の音楽トラックを聞く場合がある。そのため、ヘッドホンは、ＤＪが第１の音楽トラックをキューイングすることを可能にし、例えば、ＤＪが第２の音楽トラックから第１の音楽トラックへスムーズに移行するための準備をすることができるようにする。
【０００６】
従来のＤＪヘッドホンはしばしば、左および右スピーカを含むイヤーヘッドホンを介したステレオを含む。ＤＪがヘッドホンを通じて第１の音楽トラックを、かつ、サウンドシステムを通じて第２の音楽トラックを同時に聞く場合があるという事実により、ＤＪは、ヘッドホンスピーカの一方のみを使用する場合がある。例えば、ＤＪは、ヘッドホンの左スピーカを左耳に押し当てて、右耳でサウンドシステムを通じて再生中の第２の音楽トラックを聞きながら、左耳でヘッドホンスピーカを通じて第１の音楽トラックを聞いているようにする場合がある。この状況では、ヘッドホン上の右スピーカは単にＤＪの首の隣にぶら下がるか、またはＤＪの頭頂部付近で支えられる場合がある。
【発明の概要】
【０００７】
本発明の実施は、録音された音楽の再生およびミキシングにおいてＤＪを支援するためのデバイス、システムおよび方法を含む。具体的には、本発明の１つまたは複数の実施は、ステレオオーディオ信号からのすべての音楽成分を選択的に単一のヘッドホンスピーカへ向けることができる、１組のミキシングヘッドホンを提供する。ミキシングヘッドホンは、様々なオーディオ制御機能を含むことができる。例えば、ミキシングヘッドホンは、ヘッドホン上のスピーカのうち一方を自動的にミュートすることができ、同時に、ミキシングヘッドホンは、ステレオチャネルのすべてをミキシングヘッドホン上の反対のスピーカに向けて送ることができる。ＤＪは、ミキシングヘッドホン上に位置付けられたボタンを押すこと、または、ミキシングヘッドホン上のスピーカアセンブリを回転させることによることを含む、様々な方法で、ミキシングヘッドホンのオーディオ制御機能をトリガすることができる。
【０００８】
例えば、１組のヘッドホンの１つの実施は、第１のスピーカアセンブリおよび第２のスピーカアセンブリを含むことができる。１組のヘッドホンはまた、第１のスピーカアセンブリおよび第２のスピーカアセンブリのうち１つまたは複数に動作可能に関連付けられた、オーディオ制御デバイスを含むこともできる。作動すると、オーディオ制御デバイスは、第１および第２のオーディオ信号を結合し、第１および第２のスピーカアセンブリのうち一方に向けて送り、第１および第２のスピーカアセンブリのうち他方をミュートすることができる。
【０００９】
加えて、１組のヘッドホンの別の実施は、第１のスピーカアセンブリおよび第２のスピーカアセンブリを含むことができる。また、１組のヘッドホンは、１組のヘッドホン上に位置決めされたミュート作動機構を含むことができる。さらに、１組のヘッドホンは、第１および第２のスピーカアセンブリのうち１つまたは複数をミュートするように構成された、オーディオ制御デバイスを含むことができる。ミュート作動機構をオン位置に連接することは、オーディオ制御デバイスを作動させて、第１および第２のスピーカアセンブリのうち１つまたは複数をミュートすることができる。
【００１０】
さらに、１組のヘッドホンは、第１のスピーカアセンブリおよび第２のスピーカアセンブリを含むことができる。１組のヘッドホンはまた、第１のスピーカアセンブリ上に位置決めされた第１の入力ジャックを含むこともできる。第１の入力ジャックは、オーディオケーブルを受け入れるように構成される可能性がある。加えて、１組のヘッドホンは、第２のスピーカアセンブリ上に位置決めされた第２の入力ジャックを含むことができる。第２の入力ジャックは、オーディオケーブルを受け入れるように構成される可能性がある。前述に加えて、１組のヘッドホンは、第１の入力ジャックまたは第２の入力ジャックのいずれかに固定されたオーディオケーブルを介して受信された１つまたは複数のオーディオ信号を、第１および第２のスピーカアセンブリの両方に送信するように構成された、１つまたは複数のオーディオ制御デバイスを含むことができる。
【００１１】
本発明の例示的実施の追加の特徴および利点は、以下に続く説明において述べられ、部分的にはその説明から明らかとなり、または、そのような例示的実施の実践によって知られる場合がある。そのような実施の特徴および利点は、添付の特許請求の範囲において具体的に指摘された手段および組み合わせによって実現され、得られる場合がある。これらおよび他の特徴は、以下の説明および添付の特許請求の範囲からより十分に明らかとなり、または、以下に述べるような例示的実施の実践によって知られる場合がある。
【００１２】
本発明の上述および他の利点および特徴が得られる方法を説明するために、上記で簡単に説明された本発明のより詳細な説明が、添付の図面に例示されるその具体的な実施形態を参照することによってなされる。図面は縮尺通りに描かれていないこと、および、類似の構造または機能の要素は全体的に、図面全体を通じて例示のために同様の参照番号によって表されることに留意されたい。これらの図面は本発明の典型的な実施形態のみを示すものであり、したがってその範囲を限定するものとみなされるべきではないという理解の上で、本発明は、添付の図面の使用を通じて、追加の明細および詳細と共に記載および説明される。
【図面の簡単な説明】
【００１３】
【図１】本発明の１つの実施によるミキシングヘッドホンを使用するＤＪの芸術的表現を例示する図である。
【図２】図１のミキシングヘッドホンの右側斜視図を例示する図である。
【図３】図１のミキシングヘッドホンの左側斜視図を例示する図である。
【図４】右スピーカがデフォルトの聞き取り位置の外に回転される、図１のミキシングヘッドホンの正面図を例示する図である。
【図５】図１のミキシングヘッドホンの底面図である。
【図６】様々なオーディオ制御デバイスの上面図を例示する図である。
【図７】折り畳み形状であるが、図１のミキシングヘッドホンの正面図である。
【発明を実施するための形態】
【００１４】
本発明の実施は、録音された音楽の再生およびミキシングにおいてＤＪを支援するためのデバイス、システムおよび方法を含む。具体的には、本発明の１つまたは複数の実施は、ステレオオーディオ信号からのすべての音楽成分を選択的に単一のヘッドホンスピーカへ向けることができる、１組のミキシングヘッドホンを提供する。ミキシングヘッドホンは、様々なオーディオ制御機能を含むことができる。例えば、ミキシングヘッドホンは、ヘッドホン上のスピーカのうち一方を自動的にミュートすることができ、同時に、ミキシングヘッドホンは、ステレオチャネルのすべてをミキシングヘッドホン上の反対のスピーカに向けて送ることができる。ＤＪは、ミキシングヘッドホン上に位置付けられたボタンを押すこと、または、ミキシングヘッドホン上のスピーカアセンブリを回転させることによることを含む、様々な方法で、ミキシングヘッドホンのオーディオ制御機能をトリガすることができる。
【００１５】
加えて、１組のヘッドホンの１つまたは複数の実施は、ミキシング処理をより快適にすることができる。例えば、１つまたは複数の実施では、スピーカアセンブリはデフォルトの聞き取り位置の内外に回転し、かつ／または、ミュートされることが可能である。そのため、そのようなヘッドホンを使用するＤＪは、ＤＪの首を肩の方に直角に曲げて不快な姿勢を取ることによって、単一のヘッドホンスピーカを耳と肩の間で支える必要がない。また、ＤＪは、単一のヘッドホンスピーカを片手で耳に当てて持ち、よって、ＤＪが音楽機器を制御する能力を制限する必要がない。そのため、１つまたは複数の実施は、ＤＪが、ある音楽トラックから次の音楽トラックへのミキシングおよび／または移行中に、両手を使用して機器を制御することを可能にすることができる。
【００１６】
ミキシングの快適さを増すことに加えて、または別法として、１つまたは複数の実施はまた、音楽を適切にミキシングする能力を増すこともできる。具体的には、ヘッドホンは、左および右スピーカをステレオ構成で含む場合がある。録音されるとき、音楽はしばしば、単一の音楽トラックの異なる音楽成分のために異なるステレオチャネルを使用する。そのため、ステレオヘッドホンの一方のスピーカのみを聞くＤＪには、特定の音楽トラックからのすべての音楽成分が完全に聞こえない場合がある。
【００１７】
例えば、同じ音楽トラック上のボーカル成分が左スピーカに向けて送られる間に、音楽トラック上の打楽器成分が右スピーカに向けて送られる場合がある。本発明の１つまたは複数の実施は、ステレオ録音の両方の成分を単一のスピーカへ押し出すと同時に、他方のスピーカをミュートすることができる。これは、ＤＪが音楽トラックの打楽器およびボーカル成分を共に聞くと同時に、サウンドシステムを通じて再生中である別の音楽トラックを聞くことを可能にすることができることは、本明細書の開示に照らして理解されよう。さらに、ＤＪがミキシング中にヘッドホンを通じて音楽トラックのすべての音楽成分を聞く場合があるという事実により、ＤＪは、ある音楽トラックから次の音楽トラックへの高品質な移行を作り出すことができる場合がある。また、ＤＪは、音楽トラックを受け入れ可能にミキシングするために、ヘッドホンの右および左スピーカの間で物理的に切り替える必要がない場合がある。左および右スピーカの間で物理的に切り替える必要性を回避することは、音楽トラックのミキシング中に不注意にミスをすることを回避する助けとなる可能性がある。
【００１８】
このとき図面を参照すると、図１は、本発明の１つの実施による１組のヘッドホン１０２を使用するＤＪ１００の芸術的表現を例示する。図示のように、ＤＪ１００はヘッドホン１０２を使用して、オーディオデバイス（この場合、ミキシングテーブル１０８）上で再生中の音楽を聞くことができる。以下でより詳細に説明するように、ＤＪ１００はヘッドホン１０２を使用して、ミキシングテーブル１０８上の第１のオーディオ再生デバイス１０４および第２のオーディオ再生デバイス１０６からの音楽を聞き、ミキシングすることができる。具体的には、ヘッドホン１０２は、ＤＪ１００が一方のオーディオ再生デバイス１０４から他方のオーディオ再生デバイス１０６へと切り替えることによって、音楽の連続再生を作り出すことを可能にすることができる。また、ＤＪ１００は、例えば、ビートマッチングなど、１つまたは複数の技術を使用して、ある音楽トラックから次の音楽トラックへのスムーズかつ独自の移行を作り出すことができる。
【００１９】
図２および３、ならびに対応するテキストは、本発明の１つまたは複数の実施によるヘッドホン１０２のいくつかの詳細および特徴を記載する。具体的には、図２および３は、ヘッドホン１０２が第１のスピーカアセンブリ２０２および第２のスピーカアセンブリ２０４を含むことができることを例示する。ヘッドバンド２０６は、第１および第２のスピーカアセンブリ２０２、２０４を共に接続することができる。図１〜３および残りの図に示されたヘッドホンは、耳を覆うヘッドバンドの形状を有するが、他の実施においては、ヘッドホン１０２は、首の後ろにかけるヘッドホン、イヤホン、またはヘッドホンのいずれかの他の形状またはスタイルなど、他の形状を有することができることは理解されよう。
【００２０】
ヘッドホン１０２はさらに、オーディオワイヤ２０８を含むことができる。オーディオワイヤ２０８は、ヘッドホン１０２を、ミキシングテーブル１０８など、オーディオ再生デバイスに接続することができる。オーディオワイヤ２０８はさらに、オーディオワイヤ２０８、および、よってヘッドホン１０２がオーディオ再生デバイスに接続されることを可能にするように、オーディオケーブルの一端でジャックを含むことができる。一般に、オーディオ再生デバイスは、オーディオワイヤ２０８によって第１および第２のスピーカアセンブリ２０２および２０４へ搬送されることが可能なオーディオ信号を生成する。第１および第２のスピーカアセンブリ２０２および２０４は次いで、オーディオ信号を音波に変換することができる。
【００２１】
ヘッドホン１０２は、図２〜３においてオーディオワイヤ２０８を含むものとして例示されるが、ヘッドホン１０２の他の実施は、無線となり、よって無線オーディオ信号を受信するように構成される可能性がある。例えば、ヘッドホン１０２の無線バージョンは、赤外線信号、ＢＬＵＥＴＯＯＴＨ信号、および／または、いずれかの他の無線通信信号を通じて、オーディオ信号を無線で受信する場合がある。ヘッドホン１０２の無線機能は、ＤＪがヘッドホン１０２を着用しながら移動し、踊り、他の機器を制御する能力を増す場合がある。
【００２２】
ヘッドホン１０２はさらに、第１のスピーカアセンブリ２０２および第２のスピーカアセンブリ２０４のうち１つまたは複数に動作可能に関連付けられた、１つまたは複数のオーディオ制御デバイスを含むことができる。１つまたは複数のオーディオ制御デバイスは、オーディオ信号がどのように第１のスピーカアセンブリ２０２および第２のスピーカアセンブリ２０４へ向けられるかをＤＪが制御することを可能にすることができる。例えば、以下でより詳細に説明するように、１つまたは複数のオーディオ制御デバイスは、オーディオ信号をミュート、結合、および方向付けることを可能にすることができる。図８を参照して以下でより詳細に説明するように、１つまたは複数のオーディオ制御デバイスは、プリント回路基板（「ＰＣＢ」）またはプリント配線基板（ＰＷＢ）、および／または、１つまたは複数の電気または電気機械スイッチを含むことができる。
【００２３】
少なくとも１つの実施では、ヘッドホン１０２は、１つまたは複数のオーディオ制御デバイスを作動させるための、１つまたは複数のオーディオ制御ボタンを含むことができる。例えば、図２および３は、ヘッドホン１０２が第１のオーディオ制御ボタン２１０および第２のオーディオ制御ボタン３１０を含むことができることを例示する。オーディオ制御ボタン２１０および３１０は、図２〜３に示すように、スピーカアセンブリ２０２および２０１の外側のカバー上に位置付けられる可能性がある。他の実施では、オーディオ制御ボタン２１０および３１０は、スピーカアセンブリ２０２および２０４またはミキシングヘッドホン１０２の様々な他の場所に位置決めされる可能性がある。例えば、オーディオ制御ボタン２１０および３１０は、スピーカアセンブリ２０２および２０４の最上部に位置決めされる可能性があり、または別法として、オーディオ制御ボタン２１０および３１０は、ヘッドバンド２０６に組み込まれる可能性がある。
【００２４】
オーディオ制御ボタン２１０および３１０の位置および場所を変えることに加えて、オーディオ制御ボタン２１０および３１０の形状は、様々な他の形状を有することができる。例えば、図２および３は、オーディオ制御ボタンを、スカルロゴを含むものとして例示する。代替の実施では、オーディオ制御ボタン２１０および３１０は、略円筒形状を有することができる。さらなる実施では、オーディオ制御ボタン２１０および３１０は、正方形、楕円形または三角形の形状など、他の形状を有することができる。また、オーディオ制御ボタン２１０および３１０は、オーディオ制御ボタン２１０および３１０を特徴付けるグラフィック、ロゴまたは他の美的形態の形となるように構成される可能性がある。
【００２５】
オーディオ制御ボタン２１０および３１０の形状が実施によって変わる可能性があるのと同様に、オーディオ制御ボタン２１０および３１０は、様々な特徴を含むことができる。例えば、オーディオ制御ボタン２１０および３１０は透明または半透明の材料を含み、オーディオ制御ボタン２１０および３１０を通して見える光源を、オーディオ制御ボタン２１０および３１０が組み込むことができるようにする。光源は、例えば、オーディオ制御ボタン２１０および３１０の位置を示すために使用される可能性がある。例えば、光源は色を変化させることができ、または、オーディオ制御ボタン２１０および３１０が「オン」位置であるか「オフ」位置であるかに基づいて、オンおよびオフになることができる。また、光源は、ヘッドホン１０２を通じて再生中の音楽トラックの拍子により、明滅または変化するように構成される可能性がある。
【００２６】
上述のように、ＤＪは、オーディオ制御ボタン２１０および３１０を使用して、１つまたは複数のオーディオ制御デバイスを作動させることができ、１つまたは複数のオーディオ制御デバイスは、オーディオ信号がどのように第１のスピーカアセンブリ２０２および左スピーカアセンブリ２０４へ向けられるかを制御する。例えば、１つの実施では、ヘッドホン１０２は、ステレオヘッドホンとして動作するように構成され、すなわち、オーディオ信号の第１のチャネルが第１または左スピーカアセンブリ２０２を通じて再生され、オーディオ信号の第２のチャネルが第２または右スピーカアセンブリ２０４を通じて再生される。大抵の場合、ＤＪ１００は、次または第２の音楽トラックと共に、再生中の第１の音楽トラックをキューイングまたはミキシングすることが必要となる。そのため、ＤＪ１００は、ヘッドホン１０２を通じて第１の音楽トラックを聞くと同時に、サウンドシステムを通じて第２の音楽トラックをも聞く能力を必要とする場合がある。
【００２７】
この状況で、ＤＪ１００は、第１のオーディオ制御ボタン２１０を「オン」位置へ押すことができる。そうすることによって、ＤＪ１００は、１つまたは複数のオーディオ制御デバイスを作動させることができ、１つまたは複数のオーディオ制御デバイスは、第１のスピーカアセンブリ２０２をミュートすることができる。第１のスピーカアセンブリ２０２がミュートされると、ＤＪは、サウンドシステム上で再生中である第２の音楽トラックを十分に聞くことができる。第１のスピーカアセンブリ２０２がミュートされると同時に、１つまたは複数のオーディオ制御デバイスは、第１のスピーカアセンブリ２０２上で再生中であったオーディオ信号の第１のチャネルを、第２のスピーカアセンブリ２０４上で再生中のオーディオ信号の第２のチャネルと結合することができる。
【００２８】
１つまたは複数のオーディオ制御デバイスは次いで、結合された、または完全なオーディオ信号を第２のスピーカアセンブリ２０４に向けて送り、第２のスピーカアセンブリ２０４がオーディオ信号の両方のチャネルまたは成分を同時に再生するようにすることができる。具体的には、第２のスピーカアセンブリ２０４は、ＤＪ１００が第１のオーディオ制御ボタン２１０を押すより前に、各スピーカアセンブリによって個別に再生された、前のステレオ信号の結合に基づいたモノラル信号を、有効に受信および再生することができる。さらに、第１のスピーカアセンブリ２０２がオーディオワイヤ２０８に接続されるにもかかわらず、１つまたは複数のオーディオ制御デバイスは、第２のスピーカアセンブリ２０４および第１のスピーカアセンブリ２０２の両方のためのオーディオ信号を結合し、第２のスピーカアセンブリ２０４に向けて送ることができる。
【００２９】
そのため、１つまたは複数のオーディオ制御デバイスは、ヘッドホン１０２のオーディオ制御ボタン２１０および３１０によって作動されて、ＤＪ１００がある音楽トラックから別の音楽トラックへとミキシングおよび／または移行するためのシームレスなツールを提供することが可能である。具体的には、ボタンに触れるだけで、ＤＪ１００は第１のスピーカアセンブリ２０２をミュートし、ＤＪ１００がサウンドシステムを通じて再生する音楽トラックを聞くことを可能にすることができる。また、従来のヘッドホンおよび技術のように、第１のスピーカアセンブリ２０２のためのオーディオ信号は失われない。対照的に、第１のスピーカアセンブリ２０２のためのオーディオ信号は、第２のスピーカアセンブリ２０４のためのオーディオ信号と自動的に結合される。結合された後、１つまたは複数のオーディオ制御デバイスは、オーディオ信号を第２のスピーカアセンブリ２０４に向けて送る。そのため、ＤＪ１００が音楽トラックにおけるすべての音楽成分を聞くことを可能にする。そうすることによって、１つまたは複数の実施は、ＤＪ１００が音楽トラックをミキシングしながら両手を使用し、快適な姿勢で立つことを可能とする。そのため、ヘッドホン１０２は、ＤＪ１００がミキシングヘッドホンを片手で持つ、または、不格好かつ不快な姿勢でＤＪの首を直角に曲げてヘッドホンをＤＪの耳と肩の間で支える必要性を回避することができる。
【００３０】
第１のオーディオ制御ボタン２１０と同様に、第２のオーディオ制御ボタン３１０は、１つまたは複数のオーディオ制御デバイスを作動および作動停止させることができる。第２のオーディオ制御ボタン３１０が１つまたは複数のオーディオ制御デバイスを作動させるとき、しかし、１つまたは複数のオーディオ制御デバイスは第２のスピーカアセンブリ２０４をミュートし、完全な、または結合されたオーディオ信号を第１のスピーカアセンブリ２０２へ押し出すことができる。そのため、右利きのＤＪは、例えば、第２のオーディオ制御ボタン３１０を「オン」位置へ押して、１つまたは複数のオーディオ制御デバイスを作動させることができる。
【００３１】
第２のオーディオ制御ボタン３１０によって作動された後、１つまたは複数のオーディオ制御デバイスは第２のスピーカアセンブリ２０４をミュートすることができる。加えて、１つまたは複数のオーディオ制御デバイスはまた、第２のスピーカアセンブリ２０４へ向けられたオーディオ信号を、第１のスピーカアセンブリ２０２のためのオーディオ信号と結合し、結合されたオーディオ信号を第１のスピーカアセンブリ２０２に向けて送ることもできる。そのため、本発明の１つまたは複数の実施は、ＤＪ１００が第１または第２のスピーカアセンブリ２０２、２０４のいずれかをミュートすると同時に、完全な、または結合されたオーディオ信号を第１および第２のスピーカアセンブリ２０２、２０４の他方へ送信することを可能にすることができる。
【００３２】
また、１つまたは複数の実施では、１つまたは複数のオーディオ制御デバイスヘッドホン１０２は、第１および第２のスピーカアセンブリを共にミュートすることができる。左スピーカアセンブリ２０２および右スピーカアセンブリ２０４が共にミュートされると、ＤＪ１００は、サウンドシステム上で再生中の音楽トラック（複数可）または聴衆の反応に集中することができる。例えば、１つまたは複数の実施では、１つまたは複数のオーディオ制御デバイスは、左オーディオ制御ボタン２１０および右オーディオ制御ボタン３１０が共に「オン」位置にあるとき、第１および第２のスピーカアセンブリ２０２、２０４を共にミュートする。加えて、または別法として、ヘッドホン１００は、図２および３に示すように、ミュートボタン２１２を含むことができる。ミュートボタン２１２を押すと、１つまたは複数のオーディオ制御デバイスは、左スピーカアセンブリ２０２および右スピーカアセンブリ２０４を共にミュートすることができる。
【００３３】
図２および３は、ミュートボタン２１２が第２のスピーカアセンブリ２０４上に位置決めされることを例示する。代替の実施では、ミュートボタン２１２は、右スピーカアセンブリ２０４またはヘッドバンド２０６上に位置決めされる可能性がある。さらなる実施では、第１のスピーカアセンブリ２０２および第２のスピーカアセンブリ２０４は共に、ミュートボタン２１２を含むことができる。いずれにしても、本発明の１つまたは複数の実施は、ＤＪ１００がヘッドホン１０２の第１および第２のスピーカアセンブリ２０２、２０４の一方または両方を選択的にミュートすることを可能にすることができる。
【００３４】
１つまたは複数の追加の実施では、ヘッドホン１０２は、１つまたは複数のオーディオ制御デバイスを作動および作動停止させるための、オーディオ制御ボタン２１０および３１０以外の１つまたは複数の機構を含むことができる。例えば、１つまたは複数の実施では、ヘッドホン１０２は、第１および第２のスピーカアセンブリ２０２、２０４がデフォルトの聞き取り位置（図１〜３を参照）から離れて回転することを可能にする、１つまたは複数の旋回軸を含むことができる。本明細書で使用されるとき、「デフォルトの聞き取り位置」という語は、ユーザがヘッドホン１０２を着用するとき、スピーカアセンブリを聞くことを可能にする、スピーカアセンブリの位置を指す（図１〜３を参照）。１つまたは複数の旋回軸と共に、ヘッドホン１０２は、スピーカアセンブリの回転で１つまたは複数のオーディオ制御デバイスを作動させるように構成される、回転スイッチを含むことができる。そのため、１つまたは複数の実施によれば、ＤＪ１００は、第１または第２のスピーカアセンブリ２０２、２０４のいずれかを、デフォルトの聞き取り位置（図１〜３を参照）から作動位置へ回転させて、１つまたは複数のオーディオ制御デバイスを作動させることができる。
【００３５】
例えば、図４は、ヘッドホン１０２が旋回軸４０２および関連付けられた回転スイッチを含むことを例示する。旋回軸４０２は、第１のスピーカアセンブリ２０２をヘッドバンド２０６に回転可能に結合することができる。旋回軸４０２は、第１のスピーカアセンブリ２０２が、図１〜３に示すようなデフォルトの聞き取り位置から、図４に示すような作動位置に回転することを可能にすることができる。具体的には、旋回軸４０２は、第１のスピーカアセンブリ２０２が、第１のスピーカアセンブリの最上部から第１のスピーカアセンブリ２０２の底部へと伸びる軸の周りを方向４００に回転することを可能にすることができる。
【００３６】
具体的には、回転スイッチは、ヒンジ接続、または、スピーカアセンブリ２０２および２０４がヘッドバンド２０６に対して回転することを可能にする、類似の接続を含むことができる。加えて、回転スイッチは、スピーカアセンブリ２０２および２０４がヘッドバンド２０６に対して特定の位置へ回転されるときを検出する、１つまたは複数の検知部品を含むことができる。例えば、回転スイッチは、ＤＪ１００がスピーカアセンブリ２０２および２０４を回転させるとき、接触および非接触とされる様々な電気機械接点スイッチを含むことができる。別法として、他の類似のタイプのスイッチまたはセンサが、ヘッドバンド２０２に対するスピーカアセンブリ２０２および２０４の位置を検出するために使用される可能性がある。
【００３７】
旋回軸４０２に関連付けられた回転スイッチは、第１のスピーカアセンブリ２０２の所定の量の回転に基づいて、１つまたは複数のオーディオ制御デバイスを作動させることができることは、本明細書の開示に照らして理解されよう。１つまたは複数の実施では、回転スイッチは、第１のスピーカアセンブリ２０２の９０度の回転で、１つまたは複数のオーディオ制御デバイスを作動させることができる。他の実施では、回転スイッチは、第１のスピーカアセンブリ２０２の４５度もしくは１８０度の回転、または別の所望の回転度で、１つまたは複数のオーディオ制御デバイスを作動させることができる。
【００３８】
いずれにしても、ＤＪ１００は、スピーカアセンブリ２０２、２０４のうち１つを回転させることによって、オーディオ信号がどのようにスピーカアセンブリ２０２、２０４に向けて送られるかを制御することができる。例えば、ＤＪ１００は、第１のスピーカアセンブリ２０２を、旋回軸４０２の周りで、方向４００に、デフォルトの聞き取り位置から、図４によって図示されるような作動位置へと回転させることができる。そうすることによって、ＤＪ１００は、１つまたは複数のオーディオ制御デバイスを作動させることができ、１つまたは複数のオーディオ制御デバイスは、第１のスピーカアセンブリ２０２をミュートすることができる。第１のスピーカアセンブリ２０２がミュートされると同時に、１つまたは複数のオーディオ制御デバイスは、第１のスピーカアセンブリ２０２上で再生中であったオーディオ信号の第１のチャネルを、第２のスピーカアセンブリ２０４上で再生中のオーディオ信号の第２のチャネルと結合することができる。１つまたは複数のオーディオ制御デバイスは次いで、結合された、または完全なオーディオ信号を第２のスピーカアセンブリ２０４に向けて送り、第２のスピーカアセンブリ２０４がオーディオ信号の両方のチャネルまたは成分を同時に再生するようにすることができる。具体的には、第２のスピーカアセンブリ２０４は、ＤＪ１００が第１のオーディオ制御ボタン２１０を押すより前に、各スピーカアセンブリによって個別に再生された、前のステレオ信号の結合に基づいたモノラル信号を、有効に受信および再生することができる。
【００３９】
そのため、１つまたは複数のオーディオ制御デバイスは、ヘッドホン１０２のスピーカアセンブリ２０２、２０４の回転によって作動されて、ＤＪ１００がある音楽トラックから別の音楽トラックへとミキシングおよび／または移行するためのシームレスなツールを提供することが可能である。具体的には、ＤＪ１００は、スピーカアセンブリ２０２、２０４を自分の耳から離れて回転させて、自分が、観客、または、サウンドシステムによって再生中のオーディオを聞くことを可能にすることができる。同時に、１つまたは複数のオーディオ制御デバイスは、回転されたスピーカアセンブリをミュートすることができ、さらにＤＪ１００が、サウンドシステムを通じて再生する音楽トラックを聞くことを可能にする。また、上述のように、従来のヘッドホンおよび技術のように、第１のスピーカアセンブリ２０２のためのオーディオ信号は失われない。対照的に、第１のスピーカアセンブリ２０２のためのオーディオ信号は、第２のスピーカアセンブリ２０４のためのオーディオ信号と自動的に結合され、第２のスピーカアセンブリ２０４に向けて送られる。
【００４０】
旋回軸４０２および関連付けられた回転スイッチと同様に、ヘッドホン１０２は、第２のスピーカアセンブリ２０４とヘッドバンド２０６の間に位置決めされた、第２の旋回軸および関連付けられた回転スイッチを含むことができる。第２の旋回軸および関連付けられた回転スイッチは、１つまたは複数のオーディオ制御デバイスを作動および作動停止させることができる。ＤＪ１００が第２のスピーカアセンブリ２０４を第２の旋回軸の周りで回転させるとき、関連付けられた回転スイッチは１つまたは複数のオーディオ制御デバイスを作動させることができる。第２のスピーカアセンブリ２０４の回転によって作動すると、１つまたは複数のオーディオ制御デバイスは第２のスピーカアセンブリ２０４をミュートし、完全な、または結合されたオーディオ信号を第１のスピーカアセンブリ２０２へ押し出すことができる。そのため、右利きのＤＪは、例えば、第２のスピーカアセンブリを回転させて、１つまたは複数のオーディオ制御デバイスを作動させることができる。
【００４１】
第２のスピーカアセンブリ２０４の回転によって作動された後、１つまたは複数のオーディオ制御デバイスは第２のスピーカアセンブリ２０４をミュートすることができる。加えて、１つまたは複数のオーディオ制御デバイスはまた、第２のスピーカアセンブリ２０４へ向けられたオーディオ信号を、第１のスピーカアセンブリ２０２のためのオーディオ信号と結合し、結合されたオーディオ信号を第１のスピーカアセンブリ２０２に向けて送ることもできる。そのため、本発明の１つまたは複数の実施は、ＤＪ１００が第１または第２のスピーカアセンブリ２０２、２０４のいずれかをミュートすると同時に、完全な、または結合されたオーディオ信号を第１および第２のスピーカアセンブリ２０２、２０４の他方へ送信することを可能にすることができる。
【００４２】
図４および関連付けられたテキストは、ＤＪ１００が、第１または第２のスピーカアセンブリ２０２、２０４のいずれかを、スピーカアセンブリの最上部から底部へと伸びる軸の周りで回転させて、１つまたは複数のオーディオ制御デバイスを作動させることができると記載するが、本発明はそのように限定されない。実際には、スピーカアセンブリ２０２、２０４をヘッドバンド２０８に接続する旋回軸は、スピーカアセンブリ２０２、２０４がいかなる数の方向にも回転して、１つまたは複数のオーディオ制御デバイスを作動させることを可能にすることができる。例えば、ヘッドホン１０２は、スピーカアセンブリがユーザの耳から離れて外側に回転することを可能にする旋回軸を含むことができる。別法として、ヘッドホン１０２は、スピーカアセンブリがユーザの耳から離れて後方または前方に回転することを可能にする旋回軸を含むことができる。いずれにしても、第１のスピーカアセンブリ２０２または第２のスピーカアセンブリ２０４のいずれかの、デフォルトの聞き取り位置から離れる回転は、１つまたは複数のオーディオ制御デバイスを、図４に関して本明細書で上述された方法と類似の方法で作動させることができる。
【００４３】
本発明のさらなる実施では、第１または第２のスピーカアセンブリ２０２、２０４の、デフォルトの聞き取り位置の外への回転は、回転されたスピーカアセンブリをミュートしなくてもよい。スピーカアセンブリ２０２、２０４の、ＤＪ１００の耳から離れる単なる回転は、ＤＪ１００が聴衆、または、サウンドシステムを介して再生中のオーディオを聞くことを可能にすることができる。そのような実施では、ミュートボタン２１２は、１つまたは複数のオーディオ制御デバイスを作動させて、回転されたスピーカアセンブリをミュートすることができる。そのため、ＤＪ１００は、回転されたスピーカアセンブリ２０２、２０４をミュートするかどうかにかかわらず、スピーカアセンブリ２０２、２０４を、自分の耳から離れて回転させることを選択することができる。
【００４４】
以前に示唆したように、ヘッドホン１０２は、ＤＪ１００がオーディオケーブル２０８を、第１のスピーカアセンブリ２０２または第２のスピーカアセンブリ２０４のいずれかに接続することを可能にすることができる。例えば、図５は、ヘッドホン１０２の底面図を例示する。図５によって図示されるように、第１のスピーカアセンブリ２０２は第１の入力ジャック５００を含むことができ、第２のスピーカアセンブリ２０４は第２の入力ジャック５０２を含むことができる。第１の入力ジャック５００および第２の入力ジャック５０２は共に、オーディオケーブル２０８を選択的に受け入れることができる。そのため、ＤＪ１００は、オーディオケーブル２０８を入力ジャック５００、５０２のいずれかに固定するように、選択的に選択することができる。そのため、ＤＪ１００は、オーディオケーブル２０８を第１のスピーカアセンブリ２０２または第２のスピーカアセンブリ２０４から通すように、選択することができる。二重の入力ジャック５００、５０２は、オーディオケーブル２０８が左利きまたは右利きのＤＪ１００のいずれかにとって邪魔にならないようにすることができる。
【００４５】
さらに、ヘッドホン１０２は、第１および第２の入力ジャック５００、５０２に関連付けられた１つまたは複数のオーディオ制御デバイスを含むことができる。１つまたは複数のオーディオ制御デバイスは、第１の入力ジャック５００が、そこに固定されたオーディオケーブル２０８を介して受信された１つまたは複数の信号を、第１および第２のスピーカアセンブリ２０２、２０４の両方に送信することを可能にすることができる。同様に、１つまたは複数のオーディオ制御デバイスは、第２の入力ジャック５０２が、そこに固定されたオーディオケーブル２０８を介して受信された１つまたは複数の信号を、第１および第２のスピーカアセンブリ２０２、２０４の両方に送信することを可能にすることができる。
【００４６】
より詳細には、オーディオケーブル２０８は、ステレオオーディオ信号を第１の入力ジャック５００へ送信することができる。１つまたは複数のオーディオ制御デバイスは、ステレオオーディオ信号の第１のチャネルを第１のスピーカアセンブリ２０２へ、および、ステレオオーディオ信号の第２のチャネルを第２のスピーカアセンブリ２０４へ送信することができる。同様に、オーディオケーブル２０８が第２の入力ジャック５０２に接続されるとき。１つまたは複数のオーディオ制御デバイスは、ステレオオーディオ信号の第１のチャネルを第１のスピーカアセンブリ２０２へ、および、ステレオオーディオ信号の第２のチャネルを第２のスピーカアセンブリ２０４へ送信する。
【００４７】
前述に加えて、ヘッドホン１０２は、選択された入力ジャック５００、５０２からオーディオケーブル２０８が不注意に外れることを防ぐように構成された、ロッキング機構を含むことができる。例えば、各入力ジャック５００、５０２は、雌ネジ５０４、５０６を含むことができる。雌ネジ５０４、５０６は、オーディオケーブル２０８上の雄ネジ５０８と対合し、それにより、オーディオケーブル２０８をヘッドホン２０８にロックすることができる。代替の実施では、オーディオケーブル２０８は、スナップフィット係合または他のロッキング機構を介して、入力ジャック５００、５０２にロックすることができる。
【００４８】
本明細書で上述したように、ヘッドホン１０２は、ＤＪ１００または他のユーザがオーディオ信号のミュート、転送および結合を制御することを可能にする、１つまたは複数のオーディオ制御デバイスを含むことができる。１つまたは複数のオーディオ制御デバイスは、プリント回路基板（「ＰＣＢ」）またはプリント配線基板（ＰＷＢ）、および／または、１つまたは複数の電気または電気機械スイッチを含むことができる。例えば、図６は、上述のようなオーディオ制御デバイスとして機能することができる、様々なＰＷＢを例示する。
【００４９】
例えば、１つまたは複数のオーディオ制御デバイスは、１つまたは複数のジャックＰＷＢ６０２を含むことができる。具体的には、１つまたは複数の実施では、ヘッドホン１０２は、第１のスピーカアセンブリ２０２内に位置決めされた第１のジャックＰＷＢ６０２、および、第２のスピーカアセンブリ２０４内に位置決めされた第２のジャックＰＷＢ６０２を含むことができる。上述したように、ジャックＰＷＢ６０２は、オーディオケーブル２０８から受信されたオーディオ信号を受信および送信することができる。ジャックＰＷＢ６０２はそれぞれ、入力ジャック５００、５０２に関連付けられることが可能である。
【００５０】
１つまたは複数のオーディオ制御デバイスはまた、１つまたは複数のミュートＰＷＢ６０４を含むこともできる。具体的には、１つまたは複数の実施では、ヘッドホン１０２は、各ミュートボタン２１２に関連付けられたミュートＰＷＢ６０４を含むことができる。そのため、少なくとも１つの実施では、図１〜３に例示されたヘッドホン１０２は、単一のミュートＰＷＢ６０４を含むことができる。代替の実施では、ヘッドホン１０２は、各スピーカアセンブリ２０２、２０４上に１つずつ、２つのミュートボタン２１２、および、よって、２つのミュートＰＷＢ６０４を含むことができる。いずれにしても、ミュートＰＷＢは、作動されるとき、スピーカアセンブリ２０２、２０４のうち１つまたは複数をミュートすることができる。
【００５１】
１つまたは複数のオーディオ制御デバイスはまた、１つまたは複数のモノラルＰＷＢ６０６を含むこともできる。具体的には、１つまたは複数の実施では、ヘッドホン１０２は、第１のスピーカアセンブリ２０２に関連付けられた第１のモノラルＰＷＢ６０６、および、第２のスピーカアセンブリ２０４に関連付けられた第２のモノラルＰＷＢ６０６を含むことができる。モノラルＰＷＢ６０６は、２つのステレオチャネルを信号モノラルオーディオ信号に結合し、このモノラル信号を単一のスピーカアセンブリに転送し、かつ／または、他のスピーカアセンブリ２０２、２０４をミュートすることができる。そのため、本発明の少なくとも１つの実施では、１つまたは複数のオーディオ制御デバイスは、５つのＰＷＢを含むことができる。具体的には、２つのジャックＰＷＢ６０２、１つのミュートＰＷＢ６０４、および、２つのモノラルＰＷＢ６０６である。
【００５２】
前述の特徴および利益に加えて、ヘッドホン１０２はまた、ヘッドホン１０２を小型格納形状に容易に折り畳むことを可能にする、１つまたは複数の折り畳み式旋回軸を含むこともできる。例えば、図７は、ヘッドホン１０２が、第１のスピーカアセンブリ２０２をヘッドバンド２０６に接続する第１の折り畳み式旋回軸７０２を含むことができることを例示する。図７はまた、ヘッドホン１０２が、第２のスピーカアセンブリ２０４をヘッドバンド２０６に接続する第２の折り畳み式旋回軸７０４を含むことができることをも例示する。少なくとも１つの実施では、折り畳み式旋回軸７０２、７０４および／または旋回軸４０２を単一の機構にして、単一の旋回軸がヘッドホン１０２を小型の位置に折り畳むこと、および、スピーカアセンブリをデフォルトの聞き取り位置から回転させることを可能にすることができるようにすることができる。
【００５３】
本発明は、よって、その精神または本質的な特徴から逸脱することなく、他の具体的な形式で実施される可能性がある。記載された実施形態は、あらゆる点において、限定的ではなく例示的でしかないものとみなされるべきである。本発明の範囲は、したがって、前述の説明によってではなく、添付の特許請求の範囲によって示される。特許請求の範囲の均等物の意味および範囲内に入るすべての変更は、それらの範囲内に包含されるべきである。
【図１】
0005992833.tif 000002
【図２】
0005992833.tif 000003
【図３】
0005992833.tif 000004
【図４】
0005992833.tif 000005
【図５】
0005992833.tif 000006
【図６】
0005992833.tif 000007
【図７】
0005992833.tif 000008